(57)【要約】【課題】取り扱い易い支柱を用いて組立てられる間仕切パネル装置を提供すること。【解決手段】立設した一対の支柱２，２と、支柱２，２間に配置されるパネル材５，５，…と、支柱２，２の外側を上下方向に亘って覆うカバー６，６’と、を備えた間仕切パネル装置１であって、上下方向に開口部２ａ，２ａが延びる略Ｃ字形状の断面形状を有する支柱２，２と、開口部２ａ，２ａに嵌挿される嵌挿部材９，９，…を有するカバー６，６’と、を備え、開口部２ａ，２ａに嵌挿部材９，９，…が嵌挿された状態で、支柱２，２とカバー６，６’とが固定されている。【選択図】図４
2017002585.tif 000002
【特許請求の範囲】
【請求項１】
立設した一対の支柱と、前記支柱間に配置されるパネル材と、前記支柱の外側を上下方向に亘って覆うカバーと、を備えた間仕切パネル装置であって、
上下方向に開口部が延びる略Ｃ字形状の断面形状を有する支柱と、前記開口部に嵌挿される嵌挿部材を有するカバーと、を備え、前記開口部に前記嵌挿部材が嵌挿された状態で、前記支柱と前記カバーとが固定されていることを特徴とする間仕切パネル装置。
【請求項２】
前記支柱と前記カバーとは、前記支柱における前記開口部と対向する内板部と、前記嵌挿部材の端部と、の当接部にて固定されていることを特徴とする請求項１に記載の間仕切パネル装置。
【請求項３】
前記支柱の内板部と前記嵌挿部材の端部とは、前記支柱の内板部の内側から螺挿されるネジにより固定されることを特徴とする請求項１または２に記載の間仕切パネル装置。
【請求項４】
前記カバーは、前記嵌挿部材が上下方向に沿って複数設けられていることを特徴とする請求項１ないし３のいずれかに記載の間仕切パネル装置。
【請求項５】
前記嵌挿部材は、板状体を折り曲げて形成されることを特徴とする請求項１ないし４のいずれかに記載の間仕切パネル装置。
【請求項６】
前記カバーは、前記嵌挿部材が外側に向けて異なる方向に複数設けられていることを特徴とする請求項１ないし５のいずれかに記載の間仕切パネル装置。
【請求項７】
前記カバーの側端縁は、前記支柱と前記カバーとが接続された状態において、前記パネル材の側端縁に当接することを特徴とする請求項１ないし６のいずれかに記載の間仕切パネル装置。
【発明の詳細な説明】
【技術分野】
【０００１】
本発明は、建物内の部屋や空間を仕切る間仕切パネル装置に関する。
【背景技術】
【０００２】
複数の機能性の富んだ独立性の高い執務区画を設ける場合、複数の支柱と、その支柱の幅方向の両側に取付けられるパネル材と、を備える間仕切パネル装置を、所定の方向に連設して建物内の部屋や空間を仕切り、複数の区画に分割している。また、例えば、特許文献１に示されるように、支柱の外側にカバーを取付け、支柱が露見することを抑えて美観を向上させている間仕切パネル装置もある。このような間仕切パネル装置の支柱は、パネル材の荷重を支持するための強度が必要になるので、断面矩形状のものが用いられている。
【先行技術文献】
【特許文献】
【０００３】
【特許文献１】実開昭６２−４８１８号公報（第４頁、第３図）
【発明の概要】
【発明が解決しようとする課題】
【０００４】
しかしながら、特許文献１の間仕切パネル装置にあっては、断面矩形状の支柱を用いているため、支柱の重量が重くなってしまい、例えば、持ち運びや施工がし難いといった問題があった。
【０００５】
本発明は、このような問題点に着目してなされたもので、取り扱い易い支柱を用いて組立てられる間仕切パネル装置を提供することを目的とする。
【課題を解決するための手段】
【０００６】
前記課題を解決するために、本発明の間仕切パネル装置は、
立設した一対の支柱と、前記支柱間に配置されるパネル材と、前記支柱の外側を上下方向に亘って覆うカバーと、を備えた間仕切パネル装置であって、
上下方向に開口部が延びる略Ｃ字形状の断面形状を有する支柱と、前記開口部に嵌挿される嵌挿部材を有するカバーと、を備え、前記開口部に前記嵌挿部材が嵌挿された状態で、前記支柱と前記カバーとが固定されていることを特徴としている。
この特徴によれば、支柱に開口部を設けることにより、支柱の重量を軽くできるとともに、支柱の開口部にカバーの嵌挿部材が嵌挿された状態で、支柱とカバーとが固定されているので、この嵌挿部材により開口部の側端縁同士が近接する方向へ移動することが防止され、支柱の強度を保持することができる。
【０００７】
前記支柱と前記カバーとは、前記支柱における前記開口部と対向する内板部と、前記嵌挿部材の端部と、の当接部にて固定されていることを特徴としている。
この特徴によれば、支柱とカバーとは、支柱の内板部と嵌挿部材の端部との当接部で固定されているので、開口部の側端縁同士が近接または離間する方向への支柱の強度を高めることができる。
【０００８】
前記支柱の内板部と前記嵌挿部材の端部とは、前記支柱の内板部の内側から螺挿されるネジにより固定されることを特徴としている。
この特徴によれば、支柱の内板部の内側からネジにより固定できるため、支柱の内板部と嵌挿部材の端部との固定がし易い。
【０００９】
前記カバーは、前記嵌挿部材が上下方向に沿って複数設けられていることを特徴としている。
この特徴によれば、嵌挿部材をカバーの上下方向に沿って複数設けているため、効率よく支柱の強度を高めることができ、カバーの重量を軽くすることができる。
【００１０】
前記嵌挿部材は、板状体を折り曲げて形成されることを特徴としている。
この特徴によれば、嵌挿部材は、板状体により構成されているため、嵌挿部材の重量を軽くできるとともに、該板状体が折り曲げて形成されているため、嵌挿部材がリブ構造となり強度を高めることができる。
【００１１】
前記カバーは、前記嵌挿部材が外側に向けて異なる方向に複数設けられていることを特徴としている。
この特徴によれば、１つのカバーを利用して複数の支柱を接続することができる。
【００１２】
前記カバーの側端縁は、前記支柱と前記カバーとが接続された状態において、前記パネル材の側端縁に当接することを特徴としている。
この特徴によれば、カバーの側端縁とパネル材の側端縁とが当接されているので、パネル材の取付強度が高まる。
【図面の簡単な説明】
【００１３】
【図１】実施例におけるレイアウトされた複数の間仕切パネル装置を示す斜視図である。
【図２】２つの間仕切パネル装置で成すＬ字型連結部の構造を示す分解斜視図である。
【図３】Ｌ字型連結部における間仕切パネル装置の連結構造を示す分解斜視図である。
【図４】Ｌ字型連結部及び末端部の水平断面を上方から見た図である。
【図５】直線連結部における間仕切パネル装置の水平断面を上方から見た図である。
【図６】（ａ）は、変形例におけるＹ字型連結部の水平断面を上方から見た図であり、（ｂ）は、同じく十文字型連結部の水平断面を上方から見た図である。
【発明を実施するための形態】
【００１４】
本発明に係る間仕切パネル装置を実施するための形態を実施例に基づいて以下に説明する。
【実施例１】
【００１５】
実施例に係る間仕切パネル装置につき、図１から図６を参照して説明する。以下、図４における末端部を含む間仕切パネル装置（画面左側）の内角側を正面側（前方側）として説明し、該間仕切パネル装置の外角側を平面側として説明する。また、末端部を含む間仕切パネル装置の正面側から見て左右を該間仕切パネル装置の左右として説明する。
【００１６】
図１に示されるように、間仕切パネル装置１，１’は、建物内の部屋や空間を仕切り、複数の機能性に富んだ独立性の高い執務区画を設けるためのものであり、複数の間仕切パネル装置１，１’，…を、所定の方向に連設し、所望の区画レイアウトに合わせて空間を仕切るようになっている。尚、本実施例では、末端部を有する間仕切パネル装置１と、該間仕切パネル装置１と直角に連設される間仕切パネル装置１’と、から成る前記区画レイアウトのＬ字型連結部を例に挙げて説明する。さらに尚、間仕切パネル装置１，１’の構成は、ほぼ同一であることから、図１の画面左側の末端部を有する間仕切パネル装置１を例に取り説明し、間仕切パネル装置１’の説明を省略する。
【００１７】
図２に示されるように、間仕切パネル装置１は、左右に立設される支柱２，２と、該支柱２，２間に架設される複数の連結部材３，３，３と、連結部材３，３，３の前後にそれぞれ取り付けられる複数のパネル材５，５，…と、支柱２，２の外側を覆うことで美観を向上させるカバー６，６’と、から主に構成されている。
【００１８】
尚、間仕切パネル装置１の上部（上端の連結部材３の上部）には、上方から内部構造が露見しないようにするための板状の装飾部材７が取り付けられている。この装飾部材７の上面側には、合成樹脂素材から成る半透明板４が立設されており、間仕切パネル装置１から構成された区画内への外部からの視線を遮ることができる。さらに尚、カバー６，６’の上部にもキャップ部材１３，１３’が取付けられており、上方からカバー６，６’の内部構造が露見しないようになっている。
【００１９】
また、前述したパネル材５，５，…は、パネル材５，５，…の上下両端部に設けられた図示しない係止手段により連結部材３，３，…に対して係止されることによって取り付けられている。これにより、支柱２，２に対してパネル材５，５，…を取付けるための係合孔や突起等を形成する必要が無い。また、上部及び中部の連結部材３，３の外面は、レール状に形成され、且つ外部からアクセスできるようになっており、このレールには、図示しないが、該レールに係合可能な係合部を後端に備えたブラケットを介して棚等を取付けることができるようになっている。
【００２０】
図２ないし図４に示されるように、支柱２，２は、カバー６，６’側に向いて開口するように上下方向に延びる開口部２ａ，２ａを有し、略Ｃ字形状の断面形状となっている。詳しくは、本実施例の支柱２は、四隅の角部が直角を成す略Ｃ字形状の断面形状を成しており、開口部２ａと対向する内板部２ｂと、内板部２ｂの両端から延びる側板部２ｆ，２ｆと、側板部２ｆ，２ｆの端部から互いに近接する方向に延びる外板部２ｅ，２ｅと、を備え、外板部２ｅ，２ｅの自由端が各開口部２ａの側端縁２ｃ，２ｃとなっている。これにより、支柱２，２の重量が、断面矩形状の支柱に比べて開口部２ａ，２ａの分軽くなっており、支柱２の持ち運びや施工がし易くなっている。尚、この支柱２，２は、アルミなどの金属により押出形成で製造されてもよいし、金属板を開口部２ａ，２ａが形成されるように折り曲げ加工されて製造されてもよい。
【００２１】
図１ないし図４に示されるように、カバー６は、間仕切パネル装置１と間仕切パネル装置１’との間に配設されるものであり、カバー６’は、間仕切パネル装置１の末端部に配設されるものである。
【００２２】
図２ないし図４に示されるように、カバー６は、支柱２（間仕切パネル装置１’側の支柱２）の上下方向に沿って延びる基部材８と、支柱２の開口部２ａに嵌挿される嵌挿部材９，９，…と、から主に構成されている。基部材８は、前記Ｌ字型連結部の外角側に湾曲して配置される外板８ａと、前記Ｌ字型連結部の内角側に配置される略９０°に折り曲げられた板材である内板８ｂと、から成り、外板８ａ及び内板８ｂは溶接により互いに連結されている。これによれば、基部材８は、その内部に上下方向に連通する空間が形成されることとなるため、軽量となっている。尚、この空間には、図示しない配線や配管等を通してもよい。
【００２３】
また、嵌挿部材９，９，…は、アルミなどの金属製の板状体を折り曲げてハット型に成形されている。この嵌挿部材９，９，…は、内板８ｂにおける間仕切パネル装置１側を向く対向面８ｃと、間仕切パネル装置１’側を向く対向面８ｄと、にそれぞれ上下方向に離間して３つずつ固着されている。
【００２４】
次いで、間仕切パネル装置１の支柱２とカバー６（Ｌ字型連結部側）との接続態様について説明する。尚、間仕切パネル装置１’の支柱２とカバー６との接続態様は同一であるため、説明を省略する。
【００２５】
図２ないし図４に示されるように、支柱２とカバー６とは、上下に配設された嵌挿部材９，９，９が、間仕切パネル装置１の支柱２の開口部２ａに嵌挿され、支柱２の内板部２ｂと、嵌挿部材９，９，９の端部９ａ，９ａ，９ａと、が面同士で当接した状態でネジ１０，１０，１０により固定されて接続されている。このように、開口部２ａにカバー６の嵌挿部材９，９，９が嵌挿された状態で、支柱２とカバー６とが固定されているので、開口部２ａを設けて重量を軽くした支柱２であっても該支柱２の強度を保持することが可能となる。
【００２６】
詳しくは、支柱２の内板部２ｂと、嵌挿部材９，９，９の端部９ａ，９ａ，９ａと、が面当接しているため、内板部２ｂの強度が高くなるとともに、各開口部２ａの側端縁２ｃ，２ｃ間に嵌挿部材９，９，９の側片部９ｂ，９ｂ，…が近接して配設される（当接して配設されてもよい。）ため、開口部２ａの側端縁２ｃ，２ｃ同士が近接または離間する方向への変形が防止されている。また、支柱２とカバー６とは、開口部２ａに嵌挿部材９，９，９が嵌挿されて接続されているため、支柱２の外面２ｄ，２ｄからのカバー６の突出量を小さくできる。さらに、嵌挿部材９，９，９を支柱２の開口部２ａに嵌挿する際には、嵌挿部材９，９，９の側片部９ｂ，９ｂ，…が側端縁２ｃ，２ｃに案内されるため、嵌挿作業を行い易い。また、支柱２とカバー６とが接続された状態では、上下方向に延びるカバー６（基部材８）により支柱２が屈曲する方向への強度も高まっている。
【００２７】
また、嵌挿部材９，９，９は、カバー６の内板８ｂにおける対向面８ｃに上下方向に離間して設けられているため、支柱２，２の強度を効率よく高めることができ、カバー６の重量を軽くすることができる（図２及び図３参照）。また、前述のように、嵌挿部材９は、金属製の板状体で構成されているため、嵌挿部材９の重量を軽くすることができるとともに、該板状体を折り曲げてハット型に成形されているため、嵌挿部材９がリブ構造となり、強度を高めることができる。
【００２８】
また、支柱２とカバー６とは、パネル材５，５，…が取り外された状態で、内板部２ｂと端部９ａ，９ａ，９ａとの面当接した部分が、内板部２ｂの内側（間仕切パネル装置１，１’の内部側）から螺挿されるネジ１０，１０，１０により固定される。このように、パネル材５，５，…が取り外された状態で、支柱２の内板部２ｂの内側からネジ１０，１０，１０により固定できるため、支柱２の内板部２ｂと嵌挿部材９，９，９の端部９ａ，９ａ，９ａとの固定がし易い。また、内板部２ｂと端部９ａ，９ａ，９ａとの面当接した部分がネジ１０，１０，１０により直接固定されるため、内板部２ｂと端部９ａ，９ａ，９ａとが密着し、内板部２ｂの強度がさらに高くなる。
【００２９】
また、図４に示されるように、間仕切パネル装置１は、支柱２とカバー６とを接続した後、連結部材３，３，…にパネル材５，５，…を取り付けた際に、パネル材５，５，…の側端縁５ａ，５ａ，…と、カバー６における外板８ａの側端縁６ａと、が当接している。これによれば、外板８ａの側端縁６ａによりパネル材５，５，…の側端縁５ａ，５ａ，…の前後左右の揺れが防止されるため、パネル材５，５，…の取付強度を高めることができる。また、パネル材５，５，…とカバー６との間に隙間が形成されないので、隙間を埋めるために別体の部材を用意したり、特殊な施工する必要がない。さらに、支柱２の側板部２ｆ，２ｆの外面（支柱２の前後面）は、パネル材５，５，…の裏面（パネル材５，５，…の前後面）に接触しているため、パネル材５，５，…の前後の揺れが抑えられ、パネル材５，５，…の取付状態を安定させることができる。
【００３０】
また、支柱２の外板部２ｅ，２ｅの外面２ｄ，２ｄは、パネル材５，５，…の側端縁５ａ，５ａ，…の端面と略面一となっており、支柱２の外板部２ｅ，２ｅがパネル材５，５，…の側端縁５ａ，５ａ，…の端面から張り出さないようになっているため、カバー６をコンパクトにできる。
【００３１】
また、図２ないし図４に示されるように、嵌挿部材９，９，…は、カバー６の外側に向けて異なる方向（本実施例では直交方向に２つ）に複数設けられているので、１つのカバー６を利用して、２つの支柱２，２（間仕切パネル装置１，１’の支柱２，２）を接続することができる。さらに、カバー６により支柱２，２が接続された際には、外板８ａが支柱２，２同士の目隠しとして機能し、前記Ｌ字型連結部の美観が向上している。
【００３２】
また、図４に示されるように、カバー６’（末端部）は、基部材８’が断面視略Ｃ字状を成し、基部材８’の内面に嵌挿部材９，９，９が直接取り付けられている。このカバー６’は、嵌挿部材９，９，９が支柱２の開口部２ａに嵌挿されるとともに、基部材８’の側端縁６ａ，６ａがパネル材５，５，…の側端縁５ａ，５ａ，…と当接している。
【００３３】
また、図５に示されるように、２つの間仕切パネル装置１，１を直列に連設する場合においては、支柱２，２を開口部２ａ，２ａ側で対向させ、その各外板部２ｅ，２ｅの外面２ｄ，２ｄ同士を当接させた状態で内板部２ｂ，２ｂ同士をボルト１１とナット１２で締め込むことにより連結する。このとき、対面するパネル材５，５の側端縁５ａ，５ａ，…同士が当接することにより、パネル材５，５の取付強度を高めることができるとともに、パネル材５，５を用いて支柱２，２を外部から露見しないようにできる。
【００３４】
尚、本実施例では、間仕切パネル装置１と間仕切パネル装置１’とから成る区画レイアウトのＬ字型連結部と末端部とを例に挙げて説明したが、図６（ａ）に示されるように、カバー６１の基部材８１を断面略三角形に形成し、基部材８１の各外面に嵌挿部材９，９，…を配設し、基部材８１の各外面の嵌挿部材９，９，…を支柱２，２，２の開口部２ａ，２ａ，２ａに嵌挿させることで、カバー６１を基点として間仕切パネル装置１，１，１が３方向に略Ｙ字状に延びるようにしてもよい。また、図６（ｂ）に示されるように、カバー６２の基部材８２を断面略矩形状に形成し、基部材８２の各外面に嵌挿部材９，９，…を配設し、基部材８２の各外面の嵌挿部材９，９，…を支柱２，２，…の開口部２ａ，２ａ，…に嵌挿させることで、カバー６２を基点として間仕切パネル装置１，１，…が４方向に略十文字状に延びるようにしてもよい。このように、カバー部材の形状や嵌挿部材の取付位置を変更することによって、任意の方向に間仕切パネル装置１，１，…を連設できる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、支柱２，２の内板部２ｂ，２ｂと嵌挿部材９，９，…の端部９ａ，９ａ，…とが面同士で当接した状態で固定されているが、これに限られず、例えば、支柱２，２の内板部２ｂ，２ｂと嵌挿部材９，９，…の端部９ａ，９ａ，…とは、複数の点または線で当接した状態で固定されていてもよいし、嵌挿部材９，９，…が支柱２，２の開口部２ａ，２ａに嵌挿された状態で固定されていれば、必ずしも当接しなくともよい。
【００３７】
また、支柱２，２と嵌挿部材９，９，…とが、支柱２，２の内板部２ｂ，２ｂの内側から螺挿されるネジ１０，１０，…により固定されているが、これに限られず、例えば、支柱２，２と嵌挿部材９，９，…とが溶接等で固定されてもよいし、外部からの支柱２，２とカバー６とを締め付けて固定する固定手段等を用いて固定されてもよい。
【００３８】
また、嵌挿部材９，９，…は、カバー６の上下方向に複数設けられる態様について説明したが、例えば、上下方向に延びる１つの嵌挿部材をカバーに設けてもよい。
【００３９】
また、支柱２は、四隅の角部が直角を成す略Ｃ字形状の断面形状のものについて説明したが、略Ｃ字形状の断面形状としては、例えば、三角柱の一部に開口部２ａを設け、角部が鋭角を成す断面形状、５つ以上の角部を有する角柱の一部に開口部２ａを設け、角部が鈍角を成す断面形状、略コ字形状の断面形状、円筒の一部に開口部２ａを設けた断面形状のものが含まれる。
【符号の説明】
【００４０】
１，１’          間仕切パネル装置
２                支柱
２ａ              開口部
２ｂ              内板部
２ｃ              開口部の側端縁
３                連結部材
５                パネル材
５ａ              パネル材の側端縁
６，６’          カバー
６ａ              外板の側端縁
８，８’          基部材
８ａ              外板
８ｂ              内板
９                嵌挿部材
９ａ              嵌挿部材の端部
９ｂ              側片部
１０              ネジ
６１，６２        カバー
８１，８２        基部材
【図１】
2017002585.tif 000003
【図２】
2017002585.tif 000004
【図３】
2017002585.tif 000005
【図４】
2017002585.tif 000006
【図５】
2017002585.tif 000007
【図６】
2017002585.tif 000008